(57)【特許請求の範囲】
【請求項１】
導電性を有する第１シェルと、
導電性を有する第２シェルとを備えており、
前記第１シェルは、第１方向に延びた筒である接続部と、
カバーとを有しており、
前記接続部は、当該接続部の第２方向の一方側の部分である第１部と、
当該接続部の前記第２方向の他方側の部分である第２部とを有しており、前記第２方向は前記第１方向に交差しており、
前記カバーは、前記接続部の前記第１部に連接され且つ前記第１方向に延びており、
前記カバーは、前記第２部に間隙を有して対向する一対の壁を有しており、
前記第２シェルは、前記間隙を塞ぐ第１閉塞部を有しており、前記第１閉塞部は、前記壁間を塞ぐように、当該壁間の空間の前記第１方向の一方側に配置されているシールドケース。
【請求項２】
請求項１記載のシールドケースにおいて、
前記接続部の前記第２部は、前記カバーの前記壁に前記間隙を有して対向する対向面を有しており、
前記カバーの前記壁は、前記接続部の前記第２部に前記間隙を有して対向する対向面を有しており、
前記第１閉塞部は、前記第２部と前記壁との間に嵌合し、前記第２部の前記対向面と前記壁の前記対向面に当接しているシールドケース。
【請求項３】
導電性を有する第１シェルと、
導電性を有する第２シェルとを備えており、
前記第１シェルは、第１方向に延びた筒である接続部と、
カバーとを有しており、
前記接続部は、当該接続部の第２方向の一方側の部分である第１部と、
当該接続部の前記第２方向の他方側の部分である第２部とを有しており、前記第２方向は前記第１方向に交差しており、
前記カバーは、前記接続部の前記第１部に連接され且つ前記第１方向に延びた屋根と、一対の壁を有しており、前記屋根は、第３方向の第１、第２端部を有しており、前記第１、第２端部は、前記間隙の前記第２方向の一方側に位置する当接面を有しており、前記第３方向は、前記第１方向及び前記第２方向に交差しており、前記カバーの前記壁は、前記屋根の第１、第２端部から前記第２方向の他方側に延びており、且つ前記接続部の前記第２部に間隙を有して対向しており、
前記接続部の前記第２部は、前記カバーの前記壁に前記間隙を有して対向する対向面を有しており、
前記カバーの前記壁は、前記接続部の前記第２部に前記間隙を有して対向する対向面を有しており、
前記第２シェルは、前記間隙を塞ぐ第１閉塞部を有しており、前記第１閉塞部は、前記第２部と前記壁との間に嵌合し、前記第２部の前記対向面、前記壁の前記対向面及び前記屋根の前記当接面に当接しているシールドケース。
【請求項４】
請求項１記載のシールドケースにおいて、
前記接続部の前記第２部は、外面を有しており、
前記カバーの前記壁は、前記接続部の前記第２部に前記間隙を有して対向する対向面を有しており、
前記第１閉塞部は、前記第２部の前記外面と前記壁の前記対向面に当接し、前記間隙を塞いでいるシールドケース。
【請求項５】
導電性を有する第１シェルと、
導電性を有する第２シェルとを備えており、
前記第１シェルは、第１方向に延びた筒である接続部と、
カバーとを有しており、
前記接続部は、当該接続部の第２方向の一方側の部分である第１部と、
当該接続部の前記第２方向の他方側の部分である第２部とを有しており、前記第２方向は前記第１方向に交差しており、
前記カバーは、前記接続部の前記第１部に連接され且つ前記第１方向に延びており、
前記カバーは、前記第２部に間隙を有して対向する一対の壁を有しており、
前記第２シェルは、前記間隙を塞ぐ第１閉塞部と、第２閉塞部とを有しており、
前記第１閉塞部は、前記壁間を塞ぐように、当該壁間の空間の前記第１方向の一方側に配置されており、
前記第２閉塞部は、前記壁間を塞ぐように、当該壁間の空間の前記第１方向の他方側に配置されているシールドケース。
【請求項６】
請求項５記載のシールドケースにおいて、
前記第１シェルの前記カバーは、係合孔を有しており、
前記第２閉塞部は、前記係合孔に前記第２方向の他方側から係合される係合片を有しているシールドケース。
【請求項７】
請求項６記載のシールドケースにおいて、
前記第２閉塞部は、前記第１シェルの前記係合孔を前記第２方向の他方側から塞ぐ本体部を更に有するシールドケース。
【請求項８】
請求項５〜７の何れかに記載のシールドケースにおいて、
前記第２シェルは、前記第１閉塞部と前記第２閉塞部とを連結し、前記カバーの前記壁の内側又は外側に配置され且つ前記カバーの前記壁に面接触する一対の壁を更に有しているシールドケース。
【請求項９】
請求項１〜８の何れかに記載のシールドケースと、
前記シールドケース内に収容された絶縁性を有するボディと、
前記ボディに保持され且つ前記シールドケース内に収容された略Ｌ字状の端子とを備えているコネクタ。
【請求項１０】
請求項５〜８の何れかに記載のシールドケースと、
前記シールドケース内に収容された絶縁性を有するボディと、
前記ボディに保持された略Ｌ字状の端子とを備えており、
前記端子は、前記第１方向に延びており且つ前記シールドケースの前記第１シェルの前記接続部内に配置された第１部と、
前記第２方向の他方側に延びた第２部とを有しており、
前記端子の前記第２部は、前記第１シェルの前記壁の間及び前記第２シェルの前記第１閉塞部と前記第２閉塞部との間に配置されているコネクタ。
【請求項１１】
請求項６又は７記載のシールドケースと
前記シールドケース内に収容された絶縁性を有するボディと、
前記ボディに保持された略Ｌ字状の端子と、
絶縁性を有し且つ前記シールドケースを収容するケースとを備えており、
前記ケースは、前記第１シェルの前記係合孔に連通する係合孔を有しており、
前記第２閉塞部の前記係合片は、前記第１シェルの前記係合孔及び前記ケースの前記係合孔に係合されているコネクタ。
【請求項１２】
シールドケースと、
前記シールドケース内に収容された絶縁性を有するボディと、
前記ボディに保持され且つ前記シールドケース内に収容された略Ｌ字状の端子とを備えており、
前記シールドケースは、導電性を有する第１シェルと、
導電性を有する第２シェルとを備えており、
前記第１シェルは、第１方向に延びた筒である接続部と、
カバーとを有しており、
前記接続部は、当該接続部の第２方向の一方側の部分である第１部と、
当該接続部の前記第２方向の他方側の部分である第２部とを有しており、前記第２方向は前記第１方向に交差しており、
前記カバーは、前記接続部の前記第１部に連接され且つ前記第１方向に延びており、
前記カバーは、前記第２部に間隙を有して対向する一対の壁を有しており、
前記第２シェルは、前記間隙を塞ぐ第１閉塞部を有しており、
前記第２シェルの前記第１閉塞部は、前記ボディに固定されているコネクタ。
【発明の詳細な説明】
【技術分野】
【０００１】
本発明は、シールドケース及びこれを備えたコネクタに関する。
【背景技術】
【０００２】
従来のコネクタが下記特許文献１に記載されている。このコネクタは、端子と、ボディと、シールドケースとを備えている。端子は、略Ｌ字状の金属板である。ボディは、端子の中間部を保持する絶縁樹脂である。ボディ及び端子がシールドケース内に収容されている。
【０００３】
シールドケースは、接続部及び実装部を有している。接続部は、相手側コネクタに接続可能な角筒であって、端子のボディから突出した先端部が収容されている。実装部は、接続部に連接された底面が開放された箱であって、基板上に実装される。
【先行技術文献】
【特許文献】
【０００４】
【特許文献１】特開２００８−８４５６１号公報
【発明の概要】
【発明が解決しようとする課題】
【０００５】
接続部は角筒状であるのに対して、実装部の一対の側壁は、基板へ延びた矩形状の板である。金属板がプレス成形されることによって、上記シールドケースが作成される場合、接続部の下部と実装部の側壁との間がカットされ、両者間に隙間が生じることがある。この隙間が、コネクタのＥＭＣ(Electro-Magnetic Compatibility)特性を悪化させる要因となっている。
【０００６】
本発明は、上記事情に鑑みて創案されたものであって、その目的とするところは、ＥＭＣ特性を向上させることができるシールドケース及びこれを備えたコネクタを提供することにある。
【課題を解決するための手段】
【０００７】
本発明の一態様のシールドケースは、導電性を有する第１シェルと、導電性を有する第２シェルとを備えている。第１シェルは、接続部と、カバーとを有している。接続部は、第１方向に延びた筒であって、第１部と、第２部とを有している。接続部の第１部は、当該接続部の第２方向の一方側の部分である。接続部の第２部は、当該接続部の第２方向の他方側の部分である。第２方向は第１方向に交差している。カバーは、接続部の第１部に連接され且つ第１方向に延びている。カバーは、一対の壁を有している。壁は第２部に間隙を有して対向している。第２シェルは、第１閉塞部を有している。第１閉塞部は、壁間を塞ぐように、当該壁間の空間の第１方向の一方側に配置されており、且つ間隙を塞いでいる。
【０００８】
このような態様のシールドケースは、当該シールドケースのＥＭＣ特性を向上させることができる。第２シェルの第１閉塞部によって、第１シェルの接続部の第２部とカバーの壁との間の間隙が塞がれているからである。
【０００９】
接続部の第２部は、カバーの壁に間隙を有して対向する対向面を有していても良い。カバーの壁は、接続部の第２部に間隙を有して対向する対向面を有していても良い。第１閉塞部は、第２部と壁との間に嵌合し、第２部の対向面と壁の対向面に当接した構成とすることが可能である。このような態様のシールドケースは、当該シールドケースのＥＭＣ特性を向上させることができる。第１閉塞部が、第２部の対向面と壁の対向面に当接しているからである。
【００１０】
本発明の別の態様のシールドケースは、導電性を有する第１シェルと、導電性を有する第２シェルとを備えている。第１シェルは、接続部と、カバーとを有している。接続部は、第１方向に延びた筒であって、第１部と、第２部とを有している。接続部の第１部は、当該接続部の第２方向の一方側の部分である。接続部の第２部は、当該接続部の第２方向の他方側の部分である。第２方向は第１方向に交差している。カバーは、接続部の第１部に連接され且つ第１方向に延びている。カバーは、屋根と、一対の壁を有している。屋根は、第３方向の第１、第２端部を有し、第１、第２端部は、間隙の前記第２方向の一方側に位置する当接面を有する。第３方向は、第１方向及び第２方向に交差した方向である。壁は、屋根の第１、第２端部から第２方向の他方側に延び且つ接続部の第２部に間隙を有して対向している。第２シェルは、第１閉塞部を有している。
接続部の第２部は、カバーの壁に間隙を有して対向する対向面を有している。カバーの壁は、接続部の第２部に間隙を有して対向する対向面を有している。第１閉塞部は、第２部と壁との間に嵌合し、第２部の対向面、壁の対向面及び屋根の当接面に当接し且つ間隙を塞いでいる。
このような態様のシールドケースは、当該シールドケースのＥＭＣ特性を向上させることができる。第２シェルの第１閉塞部によって、第１シェルの接続部の第２部とカバーの壁との間の間隙が塞がれているからである。加えて、第１閉塞部が、第２部の対向面、壁の対向面及び屋根の当接面に当接しているからである。
【００１１】
又は、接続部の第２部は、外面を有した構成とすることが可能である。第１閉塞部は、第２部の外面と壁の対向面に当接し、間隙を塞いだ構成とすることが可能である。このような態様のシールドケースは、当該シールドケースのＥＭＣ特性を向上させることができる。第１閉塞部が、第２部の外面と壁の対向面とに当接し、第２部と壁との間の間隙を塞いでいるからである。
【００１２】
本発明の更に別の態様のシールドケースは、導電性を有する第１シェルと、導電性を有する第２シェルとを備えている。第１シェルは、接続部と、カバーとを有している。接続部は、第１方向に延びた筒であって、第１部と、第２部とを有している。接続部の第１部は、当該接続部の第２方向の一方側の部分である。接続部の第２部は、当該接続部の第２方向の他方側の部分である。第２方向は第１方向に交差している。カバーは、接続部の第１部に連接され且つ第１方向に延びている。カバーは、一対の壁を有している。壁は第２部に間隙を有して対向している。第２シェルは、第１閉塞部及び第２閉塞部を有している。第１閉塞部は、間隙を塞いでいる。
第１閉塞部は、壁間を塞ぐように壁間の空間の第１方向の一方側に配置されている。第２閉塞部は、壁間を塞ぐように壁間の空間の第１方向の他方側に配置されている。
このような態様のシールドケースは、当該シールドケースのＥＭＣ特性を向上させることができる。第２シェルの第１閉塞部によって、第１シェルの接続部の第２部とカバーの壁との間の間隙が塞がれているからである。加えて、壁間の第１方向の両側が第１閉塞部及び第２閉塞部によって閉塞されているためである。
【００１３】
第１シェルのカバーは、係合孔を有した構成とすることが可能である。第２閉塞部は、係合孔に第２方向の他方側から係合される係合片を有した構成とすることが可能である。このような態様のシールドケースは、ＥＭＣ特性を更に向上させることができる。その理由は以下の通りである。係合片を係合孔に係合させることにより、第１シェルと第２シェルとが電気的に接続される。これにより、第１シェルと第２シェルとが同電位となり、第１シェルが浮遊ＧＮＤとならない。
【００１４】
第２閉塞部は、第１シェルの係合孔を第２方向の他方側から塞ぐ本体部を更に有する構成とすることが可能である。このような態様のシールドケースは、ＥＭＣ特性を更に向上させることができる。なぜなら、第２閉塞部の本体部が第１シェルの係合孔を塞いでいるためである。
【００１５】
第２シェルは、一対の壁を更に有する構成とすることが可能である。第２シェルの壁は第１閉塞部と第２閉塞部とを連結し、カバーの壁の内側又は外側に配置された構成とすることが可能である。
【００１６】
第２シェルの壁はカバーの壁に面接触する構成とすることが可能である。このような態様のシールドケースは、ＥＭＣ特性を更に向上させることができる。その理由は以下の通りである。第２シェルの壁がカバーの壁に面接触することにより、第１シェルと第２シェルとが電気的に接続される。これにより、第１シェルと第２シェルとが同電位となり、第１シェルが浮遊ＧＮＤとならない。
【００１７】
本発明の一態様のコネクタは、上記した何れかの態様のシールドケースと、シールドケース内に収容された絶縁性を有するボディと、ボディに保持され且つシールドケース内に収容された略Ｌ字状の端子とを備えている。このような態様のコネクタは、当該コネクタのＥＭＣ特性を向上させることができる。第２シェルの第１閉塞部によって、第１シェルの接続部の第２部とカバーの壁との間の間隙が塞がれているからである。
【００１８】
端子は、第１部及び第２部を有する構成とすることが可能である。端子の第１部は、第１方向に延びており且つシールドケースの第１シェルの接続部内に配置された構成とすることが可能である。端子の第２部は、第２方向の他方側に延びた構成とすることが可能である。端子の第２部は、第１シェルの壁の間及び第２シェルの第１閉塞部と第２閉塞部との間に配置された構成とすることが可能である。
【００１９】
このような態様のコネクタによる場合、当該コネクタのＥＭＣ特性を更に向上させることができる。端子の第１部が接続部に囲われ、端子の第２部が第１シェルの壁の間、第２シェルの第１閉塞部、第２シェルの第２閉塞部に囲われているためである。
【００２０】
上記した何れかの態様のコネクタは、絶縁性を有し且つシールドケースを収容するケースを更に備えた構成とすることが可能である。ケースは、カバーの係合孔に連通する係合孔を有した構成とすることが可能である。第２閉塞部の係合片は、第１シェルの係合孔及びケースの係合孔に係合された構成とすることが可能である。
【００２１】
一般的に、シールドケースをケースに固定するときには、シールドケースの一部を切り欠いて係合片が形成される。この係合片がケースの係合孔又は係合凹部に係合される。この場合、シールドケースの切り欠かれた部分に開口が形成される。この開口がコネクタのＥＭＣ特性を劣化させる。しかし、上記態様のコネクタは、第２閉塞部の係合片が、第１シェルの係合孔だけでなく、ケースの係合孔にも係合されている。このため、第１シェル及び第２シェルをケースに固定するために、第１シェル及び第２シェルを切り欠いて係合片を形成する必要がないので、コネクタのＥＭＣ特性の劣化を抑制することができる。
【００２２】
本発明の別の態様のコネクタは、上記した何れかの態様のシールドケースと、シールドケース内に収容された絶縁性を有するボディと、ボディに保持され且つシールドケース内に収容された略Ｌ字状の端子とを備えている。
シールドケースは、導電性を有する第１シェルと、導電性を有する第２シェルとを備えている。第１シェルは、接続部と、カバーとを有している。接続部は、第１方向に延びた筒であって、第１部と、第２部とを有している。接続部の第１部は、当該接続部の第２方向の一方側の部分である。接続部の第２部は、当該接続部の第２方向の他方側の部分である。第２方向は第１方向に交差している。カバーは、接続部の第１部に連接され且つ第１方向に延びている。カバーは、一対の壁を有している。壁は第２部に間隙を有して対向している。第２シェルは、第１閉塞部を有している。第１閉塞部は、間隙を塞いでおり、且つボディに固定されている。
このような態様のコネクタによる場合、当該コネクタのＥＭＣ特性を向上させることができる。第２シェルの第１閉塞部によって、第１シェルの接続部の第２部とカバーの壁との間の間隙が塞がれているからである。また、第２シェルの第１閉塞部がボディに固定されているので、第２シェルがボディから脱落することを抑制することができる。
【図面の簡単な説明】
【００２３】
【図１Ａ】本発明の実施例１に係るコネクタの正面、平面及び左側面から表した斜視図である。
【図１Ｂ】前記コネクタの背面、底面及び右側面から表した斜視図である。
【図２Ａ】前記コネクタの図１Ａ中の２Ａ−２Ａ断面図である。
【図２Ｂ】前記コネクタの図２Ａ中の２Ｂ−２Ｂ断面図である。
【図２Ｃ】前記コネクタの図２Ａ中の２Ｃ−２Ｃ断面図である。
【図２Ｄ】前記コネクタの図２Ａ中の２Ｄ−２Ｄ断面図である。
【図２Ｅ】前記コネクタの図２Ａ中の２Ｅ−２Ｅ断面図である。
【図３Ａ】前記コネクタの正面、平面及び左側面から表した分解斜視図である。
【図３Ｂ】前記コネクタの背面、底面及び右側面から表した分解斜視図である。
【図４Ａ】前記コネクタのシールドケース及び端子の正面、平面及び左側面から表した斜視図である。
【図４Ｂ】前記コネクタの前記シールドケース、ボディ及び前記端子の正面、底面及び右側面から表した斜視図である。
【図４Ｃ】前記コネクタの前記シールドケース及び前記端子の左側面図である。
【図５Ａ】前記シールドケースの図４Ｃ中の５Ａ-５Ａ断面における第１シェルの接続部と第２シェルの第１閉塞板との位置関係を示す説明図である。
【図５Ｂ】前記シールドケースの図４Ｃ中の５Ｂ-５Ｂ断面における第１シェルのカバーと第２シェルの第１閉塞板との位置関係を示す説明図である。
【図６】前記シールドケースの設計変更例を示す左側面図である。
【発明を実施するための形態】
【実施例１】
【００２４】
以下、本発明の実施例１に係るコネクタＣについて図１Ａ〜図５Ｂを参照しつつ説明する。コネクタＣは、シールドケース１００と、ボディ２００と、端子３００と、ケース４００とを備えている。以下、コネクタＣの各構成要素について詳しく説明する。なお、図１Ａ〜図２Ａ及び図２Ｅ〜図３Ｂに示されるＹ−Ｙ’方向は、シールドケース１００の後述する接続部１１０ａの長手方向に相当し且つ特許請求の範囲の第１方向に相当する。Ｙ−Ｙ’方向のうちＹ方向が第１方向の一方側に相当し、Ｙ’方向が第１方向の他方側に相当する。図１Ａ〜図２Ａ、図２Ｄ及び図３Ａ〜図３Ｂに示されるＺ−Ｚ’方向は、シールドケース１００の接続部１１０ａの半径方向の一つに相当し且つ特許請求の範囲の第２方向に相当する。Ｚ−Ｚ’方向のうちＺ方向が第２方向の一方側に相当し、Ｚ’方向が第２方向の他方側に相当する。Ｚ−Ｚ’方向がＹ−Ｙ’方向に直交している。図１Ａ〜図１Ｂ及び図２Ｂ〜図３Ｂに示されるＸ−Ｘ’方向は、シールドケース１００の接続部１１０ａの半径方向の別の一つに相当し且つ且つ特許請求の範囲の第３方向に相当する。Ｘ−Ｘ’方向がＹ−Ｙ’方向及びＺ−Ｚ’方向に直交している。
【００２５】
ボディ２００は、絶縁樹脂で構成されている。ボディ２００は、図３Ａ及び図３Ｂに最も良く示されているように、接続部２１０と、基部２２０と、中間部２３０とを有している。接続部２１０はＹ−Ｙ’方向に延びたブロックである。接続部２１０は、Ｙ方向の前部と、Ｙ’方向の後部と、接続孔２１１と、ロック孔２１２とを有している。接続孔２１１は、接続部２１０の前部に設けられ且つＹ−Ｙ’方向に延びた孔であって、Ｙ方向に開口している。ロック孔２１２は、接続部２１０の後部の中心部に設けられ且つＹ−Ｙ’方向に延びた孔であって、Ｙ方向に開口している（図２Ａ参照）。接続孔２１１とロック孔２１２は連通している。実施例１では、接続部２１０は、円柱状のブロックであり、接続孔２１１は円柱状の孔である。
【００２６】
基部２２０はＺ−Ｚ’方向に延びたブロックである。基部２２０は、上部２２１と、下部２２２と、溝２２３とを有している。上部２２１は、基部２２０のＺ方向の部分である。下部２２２は、上部２２１に連接された基部２２０のＺ’方向の部分である。下部２２２のＸ−Ｘ’方向の寸法は、上部２２１のＸ−Ｘ’方向の寸法と同じ又は相違させることができる。実施例１では、下部２２２のＸ−Ｘ’方向の寸法は、上部２２１のＸ−Ｘ’方向の寸法よりも大きい。溝２２３は、基部２２０をＺ−Ｚ’方向に貫通するように延びており且つＹ’方向に開放されている。
【００２７】
中間部２３０は接続部２１０と基部２２０の上部２２１とを接続している。実施例１では、中間部２３０は下半円柱である。中間部２３０は接続部２１０のロック孔２１２よりもＺ’方向側に位置している。
【００２８】
端子３００は、図３Ａ及び図３Ｂに最も良く示されているように、略Ｌ字状の金属板で構成されている。端子３００は、第１部３１０と、第２部３２０と、折り曲げ部３３０と、テール３４０とを有している。第１部３１０はＹ−Ｙ’方向に延びた板である。第１部３１０は、Ｙ方向側の先端部と、Ｙ’方向側の後端部と、中間部とを有する。第１部３１０の先端部は、図２Ａに最も良く示されているように、ボディ２００の接続部２１０の接続孔２１１内に配置されている。実施例１では、第１部３１０の先端部は、接続孔２１１内に当該接続孔２１１の中心軸に沿って延びるように配置されている。この先端部が相手側コネクタの端子に接触可能な接点部である。第１部３１０の後端部は、ボディ２００の中間部２３０上に配置されている。第１部３１０の中間部は、先端部と後端部との間の部分であって、接続部２１０のロック孔２１２に挿入され、保持されている。
【００２９】
折り曲げ部３３０は、第１部３１０と第２部３２０とを繋ぐ略Ｌ字状の板である。折り曲げ部３３０は溝２２３に挿入されている。第２部３２０は、折り曲げ部３３０からＺ−Ｚ’方向に延びた板又はＹ’方向に傾斜しつつＺ−Ｚ’方向に延びた板である。実施例１では、第２部３２０は前者である。第２部３２０はボディ２００の基部２２０の溝２２３に挿入されている。テール３４０は、第２部３２０からＺ’方向に延びており且つ溝２２３からＺ’方向に突出している。テール３４０が図示しない基板のスルーホール電極に接続可能である。なお、テール３４０は、第２部３２０からＹ’方向に延びており、基板上の電極に接続可能になっていても良い。
【００３０】
シールドケース１００は、図２Ａ〜図４Ｃに示されるように、端子３００及びボディ２００を収容している。シールドケース１００は、第１シェル１００ａと、第２シェル１００ｂとを備えている。第１シェル１００ａは導電性を有している。第１シェル１００ａは、プレス成形された金属板又は鋳造法で作成された金属板である。実施例１では、第１シェル１００ａは、前者で構成されている。第１シェル１００ａは、接続部１１０ａと、カバー１２０ａとを有している。
【００３１】
接続部１１０ａは、Ｙ−Ｙ’方向に延びた筒である。接続部１１０ａが、相手側コネクタのシェルの接続孔内に嵌合可能な部位である。接続部１１０ａ内に端子３００の第１部３１０、ボディ２００の接続部２１０及びボディ２００の中間部２３０が収容されている（図２Ａ参照）。ボディ２００の接続部２１０は接続部１１０ａ内に嵌合していても良いし、間隙を有して配置されていても良い。実施例１では、接続部２１０は接続部１１０ａ内に嵌合し、端子３００の第１部３１０を保持している。この接続部２１０に保持された端子３００の第１部３１０は、接続部１１０ａ内に当該接続部１１０ａの中心軸に沿って延びるように配置されている。
【００３２】
接続部１１０ａは、第１部１１１ａと、第２部１１２ａとを有している。第１部１１１ａは、接続部１１０ａのＺ方向側の部分である。第１部１１１ａのＺ−Ｚ’方向の断面形状は、例えば、上半円状、円弧状、上下逆略Ｕ字状又は上下逆略Ｖ字状とすることが可能である。第２部１１２ａは、接続部１１０ａのＺ’方向側の部分である。第２部１１２ａは、接続部１１０ａの第１部１１１ａを除いた残り部分であっても良いし、第１部１１１ａと第２部１１２ａとの間に接続部１１０ａの別の部位が設けられていても良い。第２部１１２ａのＺ−Ｚ’方向の断面形状は、例えば、下半円状、円弧状、略Ｕ字状又は略Ｖ字状とすることが可能である。
【００３３】
実施例１では、接続部１１０ａは、図３Ａ及び図３Ｂに最も良く示されているように、Ｙ−Ｙ’方向に延びた円筒である。第１部１１１ａは、接続部１１０ａのＺ方向側の半円筒である。第２部１１２ａは、接続部１１０ａのＺ’方向側の半円筒である。換言すると、第１部１１１ａのＺ−Ｚ’方向の断面形状は上半円状であり、第２部１１２ａのＺ−Ｚ’方向の断面形状は下半円状である。
【００３４】
なお、本発明における上半円状は、上半楕円状を含むものとする。本発明における下半円状は、下半楕円状を含むものとする。本発明における上下逆略Ｕ字状は、台形の上底と一対の脚とを有する形状、及び、正方形又は長方形の上辺とこの上辺に対して直角な一対の側辺とを有する形状（すなわち、上下逆凹字状）を含むものとする。本発明における略Ｕ字状は、上下逆の台形の上底と一対の脚とを有する形状、及び、正方形又は長方形の下辺とこの下辺に対して直角な一対の側辺とを有する形状（すなわち、凹字状）を含むものとする。
【００３５】
カバー１２０ａは、接続部１１０ａの第１部１１１ａに連接され且つＹ−Ｙ’方向に延びている。カバー１２０ａは、屋根１２１ａと、一対の壁１２２ａを有している。壁１２２ａに区画される空間内に、ボディ２００の基部２２０、端子３００の折り曲げ部３３０及び第２部３２０が配置されている（図２Ａ参照）。なお、前記空間が特許請求の範囲のカバーの壁間の空間に相当する。
【００３６】
屋根１２１ａは、第１部１１１ａからＹ’方向に延びている。屋根１２１ａは、ボディ２００の基部２２０及び端子３００の折り曲げ部３３０のＺ方向側に配置されている。屋根１２１ａのＺ−Ｚ’方向の断面形状は、接続部１１０ａの第１部１１１ａのＺ−Ｚ’方向の断面形状と同様の形状とすることができる。実施例１では、屋根１２１ａのＺ−Ｚ’方向の断面形状は、上半円状である。換言すると、屋根１２１ａは、半円筒である。屋根１２１ａの頂部には、係合孔１２１ａ１が設けられている。係合孔１２１ａ１は屋根１２１ａをＺ−Ｚ’方向に貫通している。屋根１２１ａは、Ｘ方向の端部（屋根の第１端部）と、Ｘ’方向の端部（屋根の第２端部）とを更に有している。
【００３７】
一対の壁１２２ａは、屋根１２１ａのＸ方向の端部及びＸ’方向の端部からＺ’方向に延びている。壁１２２ａは、上壁１２２ａ１と、下壁１２２ａ２と、折り曲げ部１２２ａ３とを有している。上壁１２２ａ１は壁１２２ａのＺ方向側の矩形状の板である。上壁１２２ａ１は、ボディ２００の基部２２０の上部２２１のＸ方向の側面及びＸ’方向の側面に当接していても良いし、間隙を有して対向配置されていても良い。実施例１では、上壁１２２ａ１は、ボディ２００の基部２２０の上部２２１のＸ方向の側面及びＸ’方向の側面に当接している。
【００３８】
一対の壁１２２ａの上壁１２２ａ１は、接続部１１０ａの第２部１１２ａに間隙Ｓを有して対向している（図３Ａ及び図４Ｃを併せて参照）。第１シェル１００ａがプレス成形によって作成される場合、間隙Ｓが生じる理由は以下の通りである。プレス成形時に、接続部１１０ａが筒状にされる一方で、上壁１２２ａ１が屋根１２１ａからＺ’方向に延びるため、接続部１１０ａの第２部１１２ａと上壁１２２ａ１とを切り離す必要がある。第２部１１２ａと上壁１２２ａ１とがカットされるときに、第２部１１２ａと上壁１２２ａ１との間に間隙Ｓが生じる。特に、接続部１１０ａの第２部１１２ａのＺ−Ｚ’方向の断面形状が、下半円状、円弧状、略Ｕ字状（上記凹字状を除く。）又は略Ｖ字状である場合に、間隙Ｓが生じ易い。間隙Ｓは端面ｆ１、一対の端面ｆ２、及び一対の端面ｆ３によって区画されている。端面ｆ１は、第２部１１２ａのＹ’方向の端面（対向面）である。一対の端面ｆ２は、一対の上壁１２２ａ１のＹ方向の端面（対向面）である。端面ｆ１と一対の端面ｆ２とがＹ−Ｙ’方向において互いに対向している。一対の端面ｆ３は、カバー１２０ａの屋根１２１ａのＸ方向の端部及びＸ’方向の端部の端面の間隙ＳのＺ方向側に位置する部分である。なお、ボディ２００は、突部２４０を更に有していても良い。突部２４０は、間隙Ｓの間に配置されるようにボディ２００に設けることができる。
【００３９】
一対の壁１２２ａの下壁１２２ａ２は、壁１２２ａのＺ’方向側の矩形状の板である。下壁１２２ａ２は上記基板上に載置可能である。下壁１２２ａ２のＹ−Ｙ’方向の寸法は、上壁１２２ａ１のＹ−Ｙ’方向の寸法と相違していても良いし、同じであっても良い。実施例１では、下壁１２２ａ２のＹ−Ｙ’方向の寸法は、上壁１２２ａ１のＹ−Ｙ’方向の寸法よりも大きい。下壁１２２ａ２は上壁１２２ａ１よりも外側に位置している。換言すると、下壁１２２ａ２のＸ−Ｘ’方向の間隔が上壁１２２ａ１のＸ−Ｘ’方向の間隔よりも大きい。折り曲げ部１２２ａ３は、上壁１２２ａ１と下壁１２２ａ２とを連結している。折り曲げ部１２２ａ３は、下壁１２２ａ２が上壁１２２ａ１よりも外側に位置するように折り曲げられている。なお、折り曲げ部１２２ａ３が省略され、上壁１２２ａ１及び下壁１２２ａ２が、Ｚ−Ｚ’方向に延びるように連結されていても良い。
【００４０】
第１シェル１００ａは、一対のアーム１２３ａを更に有していても良い。アーム１２３ａは壁１２２ａの下壁１２２ａ２からＹ方向に延びている。第１シェル１００ａは、一対の第１脚１２４ａ及び／又は一対の第２脚１２５ａを更に有していても良い。第１脚１２４ａは、壁１２２ａの下壁１２２ａ２のＹ方向の端からＺ’方向に延びている。第２脚１２５ａは、壁１２２ａの下壁１２２ａ２のＹ’方向の端からＺ’方向に延びている。第１脚１２４ａ及び／又は第２脚１２５ａが上記基板のグランド用のスルーホール電極に接続可能である。又は、第１脚１２４ａ及び／又は第２脚１２５ａは、Ｘ−Ｘ’方向に延びており、基板の表面電極に接続されていても良い。
【００４１】
第２シェル１００ｂは導電性を有している。第２シェル１００ｂは、第１シェル１００ａと別体である。第２シェル１００ｂは、プレス成形された金属板又は鋳造法で作成された金属板である。実施例１では、第２シェル１００ｂは、前者で構成されている。
【００４２】
第２シェル１００ｂは、第１閉塞部１１０ｂを有している。第１閉塞部１１０ｂは、図２Ｃ、図５Ａ及び図５Ｂに最も良く示されているように、Ｚ−Ｚ’方向及びＸ−Ｘ’方向に延びた金属板である。第１閉塞部１１０ｂは、壁１２２ａ間を塞ぐように壁１２２ａの空間のＹ方向側に配置されている。第１閉塞部１１０ｂは、先端部１１１ｂと、基部１１２ｂとを有している。先端部１１１ｂは、略Ｕ字状の板である。先端部１１１ｂのＹ−Ｙ’方向の寸法は、上記間隙ＳのＹ−Ｙ’方向の寸法と略同じ又は若干大きい（図４Ｃ参照）。先端部１１１ｂのＸ−Ｘ’方向の寸法は、接続部１１０ａのＸ−Ｘ’方向の寸法及び一対の壁１２２ａの上壁１２２ａ１の外面のＸ−Ｘ’方向の距離よりも大きい（図４Ｂ参照）。先端部１１１ｂは凹面を有している。凹面のＺ−Ｚ’方向の断面形状は、接続部１１０ａの第２部１１２ａのＺ−Ｚ’方向の断面形状に対応した形状とすることができる。先端部１１１ｂは、第２部１１２ａの端面ｆ１、壁１２２ａの上壁１２２ａ１の端面ｆ２及び屋根１２１ａの端面ｆ３（当接面）に当接し、第２部１１２ａと上壁１２２ａ１との間に嵌合している。このように先端部１１１ｂが間隙Ｓを略完全に塞いでいる。
【００４３】
先端部１１１ｂの凹面には、一対の爪１１１ｂ１が設けられている。爪１１１ｂ１のＸ−Ｘ’方向の距離は、ボディ２００の突部２４０のＸ−Ｘ’方向の寸法よりも若干小さい。爪１１１ｂ１が突部２４０に係合し、先端部１１１ｂが突部２４０を挟持している。これにより、第１閉塞部１１０ｂがボディ２００に固定されている。
【００４４】
基部１１２ｂのＸ−Ｘ’方向の寸法は、壁１２２ａの下壁１２２ａ２の内面間のＸ−Ｘ’方向の距離と略同じである。基部１１２ｂが下壁１２２ａ２の内面に当接している。
【００４５】
第２シェル１００ｂは、第２閉塞部１２０ｂを更に有しても良い。第２閉塞部１２０ｂは、図２Ｄに最も良く示されているように、Ｚ−Ｚ’方向及びＸ−Ｘ’方向に延びた金属板である。第２閉塞部１２０ｂは、本体部１２１ｂと、係合片１２２ｂとを有している。本体部１２１ｂのＺ−Ｚ’方向の断面形状は、カバー１２０ａのＺ−Ｚ’方向の断面形状に対応している。本体部１２１ｂは、壁１２２ａ間を塞ぐように壁１２２ａの間の空間のＹ’方向側に配置されている。本体部１２１ｂは、壁１２２ａの上壁１２２ａ１の内面及び下壁１２２ａ２の内面に当接している。係合片１２２ｂは、本体部１２１ｂからＺ方向に延びた板である。係合片１２２ｂには、Ｙ’方向に凸の突起が設けられている。係合片１２２ｂのＸ−Ｘ’方向の寸法は、カバー１２０ａの係合孔１２１ａ１のＸ−Ｘ’方向の寸法よりも小さい。係合片１２２ｂのＹ−Ｙ’方向の寸法（突起を含むＹ−Ｙ’方向の寸法）は、係合孔１２１ａ１のＹ−Ｙ’方向の寸法よりも若干大きい。係合片１２２ｂが係合孔１２１ａ１にＺ’方向側から係合されている。本体部１２１ｂが係合孔１２１ａ１をＺ’方向側から塞いでいる。
【００４６】
第２シェル１００ｂは、一対の壁１３０ｂ（第２シェルの壁）を更に有しても良い。壁１３０ｂは、図２Ｂ及び図２Ｅに最も良く示されているように、第１閉塞部１１０ｂと第２閉塞部１２０ｂとを連結しており且つ第１シェル１００ａの壁１２２ａの下壁１２２ａ２の内側（下壁１２２ａ２とボディ２００の基部２２０の下部２２２との間）に配置されている。壁１３０ｂは、壁１２２ａの下壁１２２ａ２に面接触していても良いし、非接触でも良い。実施例１では、壁１３０ｂは、壁１２２ａの下壁１２２ａ２に面接触している。この場合、壁１３０ｂのＺ−Ｚ’方向の寸法は、壁１２２ａの下壁１２２ａ２のＺ−Ｚ’方向の寸法と略同じ又は若干小さい。
【００４７】
壁１３０ｂは、少なくとも一つの係合部１３１ｂを更に有していても良い。壁１２２ａは、少なくとも一つの係合部１２２ａ４を更に有していても良い。係合部１３１ｂ及び係合部１２２ａ４の何れか一方が係合突部であり、他方が係合凹部又は係合孔である。係合突部が係合凹部又は係合孔に係合されている。実施例１では、図２Ｅに最も良く示されているように、係合部１２２ａ４が内側（壁１３０ｂ側）に凸の係合突部であり、係合部１３１ｂが内側に凹んだ係合凹部である。実施例１では、複数の係合部１２２ａ４が壁１２２ａの下壁１２２ａ２に設けられ、複数の係合部１３１ｂが壁１３０ｂに設けられている。
【００４８】
第１閉塞部１１０ｂと第２閉塞部１２０ｂとの間に、ボディ２００の基部２２０及び端子３００の第２部３２０が配置されている。壁１３０ｂ間に、基部２２０の下部２２２及び端子３００の第２部３２０の一部が配置されている。第１閉塞部１１０ｂと第２閉塞部１２０ｂとの間のＹ−Ｙ’方向の距離は、ボディ２００の基部２２０の下部２２２のＹ−Ｙ’方向の寸法と略同じとすることができる。壁１３０ｂ間のＸ−Ｘ’方向の距離は基部２２０の下部２２２のＸ−Ｘ’方向の寸法と略同じとすることができる。すなわち、基部２２０の下部２２２が第１閉塞部１１０ｂ、第２閉塞部１２０ｂ及び壁１３０ｂに区画される空間に嵌合する構成とすることが可能である。
【００４９】
ケース４００は絶縁樹脂で構成されている。ケース４００内に、端子３００、ボディ２００及びシールドケース１００が収容されている。ケース４００は、図１Ａ〜図３Ｂに示されるように、筒４１０と、ブロック４２０と、プレート４３０と、プレート４４０とを有している。筒４１０はプレート４３０からＹ方向に延びている。筒４１０内には、接続孔４５０が設けられている。接続孔４５０内に相手側コネクタの接続部が挿入可能である。ブロック４２０はプレート４３０とプレート４４０との間に設けられた直方体である。
【００５０】
プレート４４０及びブロック４２０内には、収容凹部４６０が設けられている。収容凹部４６０の形はシールドケース１００のカバー１２０ａの外形に対応している。カバー１２０ａが収容凹部４６０内に嵌合している。収容凹部４６０はＹ’方向及びＺ’方向に開口している。ブロック４２０の収容凹部４６０のＺ方向側の部分には、係合孔４８０が設けられている。係合孔４８０は収容凹部４６０に連通し且つ収容凹部４６０内のカバー１２０ａの係合孔１２１ａ１に連通している。係合孔４８０は、第２シェル１００ｂの係合片１２２ｂを係合している。ケース４００の接続孔４５０と収容凹部４６０との間の部分には、接続孔４５０と収容凹部４６０とに連通する連通孔４７０が設けられている。連通孔４７０の形は、第１シェル１００ａの接続部１１０ａの外形に対応している。連通孔４７０に接続部１１０ａが部分的に嵌合し、接続部１１０ａの先端部、ボディ２００の接続部２１０の先端部及び端子３００の第１部３１０の先端部が接続孔４５０内に配置されている。ケース４００の連通孔４７０のＺ’方向側の部分には、一対の係合孔４９０が設けられている。図２Ｅに最も良く示されているように、係合孔４９０に第１シェル１００ａの一対のアーム１２３ａが係合されている。
【００５１】
以下、上記した実施例１のコネクタＣの組み立て手順について詳しく説明する。まず、端子３００及びボディ２００を用意する。端子３００の第１部３１０をボディ２００のロック孔２１２内にＹ’方向側から圧入させると共に、端子３００の折り曲げ部３３０及び第２部３２０をボディ２００の溝２２３内にＹ’方向側から挿入させる。すると、端子３００の第１部３１０の中間部がロック孔２１２に部分的に保持され、第１部３１０の先端部がボディ２００の接続孔２１１内に配置され、且つ第１部３１０の後端部がボディ２００の中間部２３０上に配置される。端子３００の折り曲げ部３３０及び第２部３２０をボディ２００の溝２２３内に収容される。このようにして端子３００がボディ２００に保持される。
【００５２】
その後、第１シェル１００ａを用意する。第１シェル１００ａ内にボディ２００を組み込む。この組み込み時に次の１）〜４）の通りとなる。１）ボディ２００の接続部２１０が第１シェル１００ａの接続部１１０ａ内にＹ’方向側から嵌合する。２）端子３００の第１部３１０が第１シェル１００ａの接続部１１０ａ内に同軸配置される。３）ボディ２００の基部２２０、端子３００の折り曲げ部３３０及び端子３００の第２部３２０が第１シェル１００ａのカバー１２０ａ内に配置される。４）ボディ２００の基部２２０の上部２２１がカバー１２０ａの上壁１２２ａ１の内面に面接触し且つ係合される。
【００５３】
その後、ケース４００を用意する。第１シェル１００ａの接続部１１０ａをＹ’方向側からケース４００の収容凹部４６０、連通孔４７０及び接続孔４５０内に挿入する。この挿入時に次の１）〜３）の通りとなる。１）接続部１１０ａが連通孔４７０に部分的に保持され、接続部１１０ａの先端部が接続孔４５０内に配置される。２）第１シェル１００ａのアーム１２３ａがケース４００の係合孔４９０に各々係合される。３）第１シェル１００ａのカバー１２０ａがケース４００の収容凹部４６０に収容され、カバー１２０ａの係合孔１２１ａ１がケース４００の係合孔４８０に連通する。このようにしてケース４００内に、第１シェル１００ａ、端子３００及びボディ２００が収容される。
【００５４】
その後、第２シェル１００ｂを用意する。第２シェル１００ｂを第１シェル１００ａにＺ’方向側から取り付ける。この取り付け時に次の１）〜８）の通りになる。１）第２シェル１００ｂの第１閉塞部１１０ｂの先端部１１１ｂが第１シェル１００ａの接続部１１０ａの第２部１１２ａと壁１２２ａとの間に嵌合し、第１閉塞部１１０ｂが、第２部１１２ａの端面ｆ１、壁１２２ａの上壁１２２ａ１の端面ｆ２及び屋根１２１ａの端面ｆ３に当接し、端面ｆ１と端面ｆ２の間の間隙Ｓを塞ぐ。２）ボディ２００の突部２４０が第２シェル１００ｂの第１閉塞部１１０ｂの先端部１１１ｂ内に嵌合し、突部２４０が先端部１１１ｂに挟持される。３）第２シェル１００ｂの第１閉塞部１１０ｂがボディ２００の基部２２０のＹ方向側で第１シェル１００ａの壁１２２ａ間を塞ぐ。４）第２閉塞部１２０ｂの係合片１２２ｂがＺ’方向側から第１シェル１００ａの係合孔１２１ａ１及びケース４００の係合孔４８０に係合される。５）第２閉塞部１２０ｂがボディ２００の基部２２０のＹ’方向側で第１シェル１００ａの壁１２２ａ間を塞ぐ。６）壁１３０ｂが壁１２２ａの内側に配置され、壁１２２ａに面接触する。７）壁１３０ｂの係合部１３１ｂが壁１２２ａの係合部１２２ａ４に係合される。８）ボディ２００の基部２２０が第２シェル１００ｂに嵌合し、端子３００の第２部３２０が第２シェル１００ｂ内に部分的に配置される。
【００５５】
以上のようなコネクタＣは、以下の技術的特徴を有している。第１に、コネクタＣのＥＭＣ特性及びＶＳＷＲ（Voltage Standing Wave Ratio）を向上させることができる。なぜなら、端子３００の第１部３１０が第１シェル１００ａの接続部１１０ａに囲われ、端子３００の折り曲げ部３３０及び第２部３２０が第１シェル１００ａのカバー１２０ａ及び第２シェル１００ｂに囲われているためである。より具体的には以下の通りである。端子３００の第１部３１０が第１シェル１００ａの接続部１１０ａ内に配置され、第１部３１０が接続部１１０ａに囲われている。端子３００の折り曲げ部３３０及び第２部３２０のＺ方向側が第１シェル１００ａのカバー１２０ａの屋根１２１ａによって覆われ、端子３００の折り曲げ部３３０及び第２部３２０のＸ方向側及びＸ’方向側がカバー１２０ａの壁１２２ａによって覆われている。端子３００の第２部３２０のＹ方向側が、壁１２２ａ間を閉塞する第１シェル１００ａの第１閉塞部１１０ｂによって覆われている。端子３００の折り曲げ部３３０及び第２部３２０のＹ’方向側が、壁１２２ａ間を閉塞する第１シェル１００ａの第２閉塞部１２０ｂによって覆われている。第１閉塞部１１０ｂが第２部１１２ａと壁１２２ａの間の間隙Ｓを閉塞している。
【００５６】
第２に、シールドケース１００が二つのシェルを有することが、コネクタＣのＥＭＣ特性及びＶＳＷＲの劣化を招来しない。その理由は以下の通りである。第２シェル１００ｂの係合片１２２ｂが第１シェル１００ａの係合孔１２１ａ１に係合され且つ第２シェル１００ｂの壁１３０ｂが第１シェル１００ａの壁１２２ａに面接触することによって、第１シェル１００ａと第２シェル１００ｂとが電気的に接続されている。これにより、第１シェル１００ａと第２シェル１００ｂとが同電位となるので、第１シェル１００ａが浮遊ＧＮＤとならない。しかも、第２シェル１００ｂの壁１３０ｂが第１シェル１００ａの壁１２２ａに面接触することによって、第１シェル１００ａと第２シェル１００ｂとが第１脚１２４ａ及び／又は第２脚１２５ａの近くで電気的に接続される。第１脚１２４ａ及び／又は第２脚１２５ａは、グランドに接続されているので、第１シェル１００ａと第２シェル１００ｂとはグランド近くで電気的に接続される。これが、コネクタＣのＥＭＣ特性及びＶＳＷＲを良好にする。
【００５７】
第３に、第２シェル１００ｂを第１シェル１００ａに機械的に接続することが、コネクタＣのＥＭＣ特性及びＶＳＷＲの劣化を招来しない。第２シェル１００ｂの第２閉塞部１２０ｂの係合片１２２ｂが第１シェル１００ａの係合孔１２１ａ１に係合され、第２シェル１００ｂの第２閉塞部１２０ｂの本体部１２１ｂが係合孔１２１ａ１を塞ぐからである。
【００５８】
第４に、シールドケース１００をケース４００に固定することが、コネクタＣのＥＭＣ特性及びＶＳＷＲの劣化を招来しない。一般的に、シールドケースをケースに固定するときには、シールドケースの一部を切り欠いて係合片が形成される。この係合片がケースの係合孔又は係合凹部に係合される。この場合、シールドケースの切り欠かれた部分に開口が形成される。この開口がコネクタのＥＭＣ特性及びＶＳＷＲを劣化させる。しかし、コネクタＣは、第２閉塞部１２０ｂの係合片１２２ｂが第１シェル１００ａの係合孔１２１ａ１だけでなく、ケース４００の係合孔４８０にも係合され且つ係合孔１２１ａ１が第２閉塞部１２０ｂによって閉塞されている。このため、シールドケース１００をケース４００に固定するために、第１シェル１００ａ及び第２シェル１００ｂを切り欠いて係合片を形成する必要がないので、コネクタのＥＭＣ特性の劣化を抑制することができる。
【００５９】
なお、上述したシールドケース及びコネクタは、上記実施例に限定されるものではなく、特許請求の範囲の記載範囲において任意に設計変更することが可能である。以下、詳しく述べる。
【００６０】
本発明のシールドケースは、上記した何れかの態様の第１シェル及び第２シェル、又は、後述する第１シェル及び第２シェルを備えている限り任意に設計変更することが可能である。
【００６１】
本発明の第１シェルは、以下の構成を有する限り任意に設計変更することが可能である。１）第１シェルは導電性を有している。２）第１シェルは、第１方向に延びた筒である接続部と、カバーとを有している。３）第１シェルの接続部は、当該接続部の第２方向の一方側の部分である第１部と、当該接続部の第２方向の他方側の部分である第２部とを有している。第２方向は第１方向に交差している。４）第１シェルのカバーは、接続部の第１部に連接され且つ第１方向に延びており、このカバーは、第２部に間隙を有して対向する一対の壁を有している。なお、カバーの壁は、上壁のみを有する構成とすることが可能である。
【００６２】
本発明の第２シェルは、上記した何れかの態様又は後述する第１閉塞部を有している限り任意に設計変更することが可能である。本発明の第１閉塞部は、第２部とカバーの壁との間の間隙を塞ぐものである限り任意に設計変更することが可能である。例えば、第１閉塞部は、接続部の第２部とカバーの壁との間に嵌合し、第２部の対向面とカバーの壁の対向面に当接する構成とすることが可能である。すなわち、第１閉塞部は、カバーの屋根に当接しない構成とすることが可能である。また、第１閉塞部は、接続部の第２部とカバーの壁との間に嵌合するのではなく、第２部の外面とカバーの壁の対向面に当接し、間隙を塞ぐ構成とすることが可能である。例えば、図６に示すシールドケース１００’のように、第１閉塞部１１０ｂ’の先端部１１１ｂ’のＹ−Ｙ’方向の寸法を間隙ＳのＹ−Ｙ’方向の寸法よりも大きくする。第１閉塞部１１０ｂ’の先端部１１１ｂ’の凹面の形は、接続部１１０ａの第２部１１２ａの外面に対応している。第１閉塞部１１０ｂ’の先端部１１１ｂ’の凹面が第２部１１２ａの外面に面接触し且つ第１閉塞部１１０ｂ’の先端部１１１ｂ’のカバーの壁側の端面がカバー１２０ａの壁１２２ａの端面ｆ２に面接触し、間隙Ｓを完全に塞ぐ。シールドケース１００’の上記以外の構成は、上記した何れかの態様と同じ構成とすると良い。なお、上記した何れかの態様の第１閉塞部はカバーの壁の間を塞がない構成とすることが可能である。
【００６３】
本発明の第２シェルの第２閉塞部は、上記した何れかの態様のカバーの壁間を塞ぐように、当該カバーの壁間の空間の第１方向の他方側に配置された構成とすることが可能である。本発明の第２シェルの第２閉塞部は、上記した何れかの態様のカバーの壁間を部分的に塞ぐ構成とすることが可能である。本発明の第２閉塞部の係合片及び第１シェルの係合孔は省略可能である。本発明の第２閉塞部の係合片は第１シェルの係合孔のみに係合する構成とすることが可能である。本発明の第２閉塞部の本体部が上記した何れかの態様の第１シェルの係合孔を閉塞しない又は部分的に閉塞する構成とすることが可能である。本発明の第２シェルの第２閉塞部は省略可能である。第２閉塞部が省略される場合、第１シェルのカバーの屋根及び／又は壁にバックカバーが設けられた構成とすることが可能である。バックカバーは、第１シェルのカバーの壁間を塞ぐように、当該カバーの壁間の空間の第１方向の他方側に配置された構成とすることが可能である。
【００６４】
本発明の第２シェルの壁は省略可能である。本発明の第２シェルの壁は、上記した何れかの態様の第１閉塞部と上記した何れかの態様の第２閉塞部とを連結し、上記した何れかの態様のカバーの壁の内側又は外側に配置されている限り任意に設計変更することが可能である。例えば、第２シェルの壁は、上記した何れかの態様の第１閉塞部と上記した何れかの態様の第２閉塞部とを連結し、上記した何れかの態様のカバーの壁の外側に配置された構成とすることが可能である。この第２シェルの壁は、カバーの壁の外面に面接触していても良い。第２シェルの壁がカバーの壁の外側に配置されている場合、第２シェルの壁及びカバーの壁の何れか一方に係合突部が設けられ、他方に係合突部が係合する係合凹部又は係合孔が設けられた構成とすることが可能である。なお、本発明の第１シェルのカバーの壁の係合部及び第２シェルの壁の係合部は省略可能である。上記した第１脚及び／又は第２脚は、第１シェルではなく、第２シェルからＺ’方向又はＸ−Ｘ’方向に延びる構成とすることが可能である。
【００６５】
本発明のコネクタのボディは、絶縁性を有し、上記した何れかの態様又は後述する端子を保持でき且つシールドケース内に収容され得るものである限り任意に設計変更することが可能である。例えば、本発明のコネクタのボディは、突部を有していない構成とすることが可能である。本発明のコネクタのボディは、突部に代えて、少なくとも一つのスリットを有する構成とすることが可能である。スリットは、上記間隙に連通するように設けられた構成とすることが可能である。上記した何れかの態様の第１閉塞部が上記間隙を塞ぎ、且つスリットに係合される構成とすることが可能である。
【００６６】
本発明のコネクタの端子は、上記した何れかの態様のボディに保持され、上記した何れかの態様のシールドケースに収容され得るものである限り任意に設計変更することが可能である。本発明のコネクタの端子は、複数とすることが可能である。例えば、複数の端子が上記した何れかの態様のボディに保持され、当該端子の第１部が上記した何れかの態様のシールドケースの第１シェルの接続部内に配置された構成とすることが可能である。複数の端子の第２部が上記した何れかの態様のシールドケースの第２シェルの第１閉塞部と第２閉塞部との間に配置された構成とすることが可能である。
【００６７】
本発明のケースは省略可能である。本発明のケースは、上記した何れかの態様の端子、ボディ及びシールドケースを収容し得るものである限り任意に設計変更可能である。
【００６８】
なお、上記実施例及び設計変形例におけるシールドケース及びコネクタの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の第１方向は、本発明の第１シェルの接続部の長手方向に相当する限り任意に設定することができる。本発明の第２方向は、第１方向に交差する限り任意に設定することができる。本発明の第３方向は、第１方向及び第２方向に交差する限り任意に設定することができる。
【符号の説明】
【００６９】
Ｃ：コネクタ
１００：シールドケース
１００ａ：第１シェル
１１０ａ：接続部
１１１ａ：第１部
１１２ａ：第２部
ｆ１：端面（対向面）
１２０ａ：カバー
１２１ａ：屋根
１２１ａ１：係合孔
ｆ３：端面（当接面）
１２２ａ：壁
１２２ａ１：上壁
ｆ２：端面（対向面）
１２２ａ２：下壁
１２２ａ３：折り曲げ部
１２２ａ４：係合部
１２３ａ：アーム
１２４ａ：第１脚
１２５ａ：第２脚
Ｓ：間隙
１００ｂ：第２シェル
１１０ｂ：第１閉塞部
１１１ｂ：先端部
１１１ｂ１：爪
１１２ｂ：基部
１２０ｂ：第２閉塞部
１２１ｂ：本体部
１２２ｂ：係合片
１３０ｂ：壁
１３１ｂ：係合部
２００：ボディ
２１０：接続部
２１１：接続孔
２１２：ロック孔
２２０：基部
２２１：上部
２２２：下部
２２３：溝
２３０：中間部
２４０：突部
３００：端子
３１０：第１部
３２０：第２部
３３０：折り曲げ部
３４０：テール
４００：ケース
４１０：筒
４２０：ブロック
４３０：プレート
４４０：プレート
４５０：接続孔
４６０：収容凹部
４７０：連通孔
４８０：係合孔
４９０：係合孔
【図１Ａ】
0006437377.tif 000002
【図１Ｂ】
0006437377.tif 000003
【図２Ａ】
0006437377.tif 000004
【図２Ｂ】
0006437377.tif 000005
【図２Ｃ】
0006437377.tif 000006
【図２Ｄ】
0006437377.tif 000007
【図２Ｅ】
0006437377.tif 000008
【図３Ａ】
0006437377.tif 000009
【図３Ｂ】
0006437377.tif 000010
【図４Ａ】
0006437377.tif 000011
【図４Ｂ】
0006437377.tif 000012
【図４Ｃ】
0006437377.tif 000013
【図５Ａ】
0006437377.tif 000014
【図５Ｂ】
0006437377.tif 000015
【図６】
0006437377.tif 000016